(57)【要約】【課題】ユーザーの如何なる誤操作に対しても、コンテンツが誤って完全に抹消されるということが防止されると共に、コンテンツの利用に応じた課金がユーザーに対して行われることが可能になるようにする。【解決手段】ＨＤＤを内蔵するＩＴ家電を使ったコンテンツ受配信システムにおいて、２層記録媒体の第２層には変更や消去が出来ない暗号化されたコンテンツが記録されており、ユーザーがコンテンツ管理者とコンテンツ利用契約を結んだ際に支給されるコンテンツ管理者から供給の秘密鍵を用いて、コンテンツを復号化して、コンテンツの利用権利を与える。【選択図】　　　　図６
2004039036.tif 000002
【特許請求の範囲】
【請求項１】
記録媒体の記録層が２層で構成され、この２層のうち、ユーザー側では書き込み、消去が不可能な片側の１層目には、コンテンツ管理者が供給する圧縮化されたコンテンツが予め出荷時には記録されている媒体を用いたコンテンツの利用方法であって、
ユーザーがコンテンツ管理者とのコンテンツ利用契約に応じて、コンテンツ管理者から解凍用のソフトの供給を受け、該解凍用のソフトにより前記媒体の前記１層目に圧縮化された前記コンテンツを解凍する解凍ステップと、
前記解凍ステップで解凍されたコンテンツを前記媒体の他方の２層目に記録する記録ステップと、
その後のユーザのコンテンツ利用の際に、前記媒体の前記２層目に書き込まれている前記コンテンツを読み出して実行する処理ステップと
を含むことを特徴とする、記録層を２層備えた記録媒体を用いたコンテンツの利用方法。
【請求項２】
記録媒体の記録層が２層で構成され、この２層のうち、ユーザー側では書き込み、消去が不可能な片側の１層目には、コンテンツ管理者が供給する暗号化されたコンテンツが予め出荷時には記録されている媒体を用いたコンテンツの利用方法であって、
ユーザーがコンテンツ管理者とのコンテンツ利用契約の際に、ユーザーが設定したパスワードに応じて、コンテンツ管理者から秘密鍵が配信される配信ステップと、
前記配信ステップで配信された前記秘密鍵を前記媒体の他方の２層目に記録する記録ステップと、
その後のユーザのコンテンツ利用の際に、前記媒体の前記２層目に書き込まれている前記秘密鍵とユーザーのパスワードとを用いて、前記媒体の前記１層目に記録されている前記暗号化されたコンテンツを復号化する復号化ステップと、
前記復号化ステップで復号化された前記コンテンツを実行する処理ステップとを含むことを特徴とする、記録層を２層備えた記録媒体を用いたコンテンツの利用方法。
【請求項３】
記録媒体の記録層が２層で構成され、この２層のうち、ユーザー側では書き込み、消去が不可能な片側の１層目には、コンテンツ管理者が供給する暗号化されたコンテンツが予め出荷時には記録されている媒体を用いたコンテンツの利用方法であって、
ユーザーがコンテンツ管理者とコンテンツ利用契約の際に、ユーザーが設定したパスワードに応じて、コンテンツ管理者から秘密鍵が配信される配信ステップと、
最初にユーザが前記コンテンツを利用する際に、前記配信ステップで配信された前記秘密鍵とユーザーのパスワードとを用いて、前記媒体の前記１層目に記録されている前記暗号化されたコンテンツを復号化する復号化ステップと、
前記復号化ステップで復号化された該コンテンツを前記媒体の他方の２層目に記録する記録ステップと、
次回以降のユーザのコンテンツ利用の際に、前記媒体の前記２層目に記録されている前記コンテンツを読み出して実行する処理ステップと
を含むことを特徴とする、記録層を２層備えた記録媒体を用いたコンテンツの利用方法。
【請求項４】
記録媒体の記録層が２層で構成され、この２層のうち、ユーザー側では書き込み、消去が不可能な片側の１層目には、コンテンツ管理者が供給する圧縮化されたコンテンツが予め出荷時には記録されている媒体を用いたコンテンツの利用システムであって、
ユーザーがコンテンツ管理者とのコンテンツ利用契約に応じて該コンテンツ管理者から供給を受けた解凍用のソフトにより前記媒体の前記１層目の記録された前記コンテンツを解凍する解凍手段と、
前記解凍されたコンテンツを前記媒体の他方の２層目に記録する記録手段と、その後のユーザのコンテンツ利用の際に、前記媒体の前記２層目に書き込まれている前記コンテンツを読み出して実行する処理手段と
を有することを特徴とする、記録層を２層備えた記録媒体を用いたコンテンツの利用システム。
【請求項５】
記録媒体の記録層が２層で構成され、この２層のうち、ユーザー側では書き込み、消去が不可能な片側の１層目には、コンテンツ管理者が供給する暗号化されたコンテンツが予め出荷時には記録されている媒体を用いたコンテンツの利用システムであって、
ユーザーがコンテンツ管理者とのコンテンツ利用契約の際に該ユーザーが設定したパスワードに応じてコンテンツ管理者から配信される秘密鍵を受信する受信手段と、
受信した前記秘密鍵を前記媒体の他方の２層目に記録する記録手段と、
その後のユーザのコンテンツ利用の際に、前記媒体の前記２層目に書き込まれている前記秘密鍵とユーザーのパスワードとを用いて、前記媒体の前記１層目に記録されている前記暗号化されたコンテンツを復号化する復号化手段と、
復号化された前記コンテンツを実行する処理手段と
を有することを特徴とする、記録層を２層備えた記録媒体を用いたコンテンツの利用システム。
【請求項６】
記録媒体の記録層が２層で構成され、この２層のうち、ユーザー側では書き込み、消去が不可能な片側の１層目には、コンテンツ管理者が供給する暗号化されたコンテンツが予め出荷時には記録されている媒体を用いたコンテンツの利用システムであって、
ユーザーがコンテンツ管理者とのコンテンツ利用契約の際に該ユーザーが設定したパスワードに応じてコンテンツ管理者から配信される秘密鍵を受信する受信手段と、
最初にユーザが前記コンテンツを利用する際に、前記受信した前記秘密鍵とユーザーのパスワードとを用いて、前記媒体の前記１層目に記録されている前記暗号化されたコンテンツを復号化する復号化手段と、
復号化された前記コンテンツを前記媒体の他方の２層目に記録する記録手段と、
次回以降のユーザのコンテンツ利用の際に、前記媒体の前記２層目に記録されている前記コンテンツを読み出して実行する処理手段と
を有することを特徴とする、記録層を２層備えた記録媒体を用いたコンテンツの利用システム。
【発明の詳細な説明】
【０００１】
【発明の属する技術分野】
本発明は、記録層を２層備えた記録媒体を用いたコンテンツの利用方法、およびその利用システムに関し、特にユーザーでの誤操作でも、コンテンツを抹消することなく安心してコンテンツを利用可能にする技術に関する。
【０００２】
【従来の技術】
現在のパソコン（パーソナルコンピュータ）やワークステーション等の端末機器では、ユーザーが必要とするか否かに関わらず、各種のコンテンツがハードディスクにプレインストールされて、ハードディスクの容量に大きく占めているのが実状である。また、各種コンテンツの容量が大きくなった主たる理由の１つとして、オペレーティングシステム（ＯＳ）がマイクロソフト（Ｍｉｃｒｏｓｏｆｔ）社によるウインドーズ（Ｗｉｎｄｏｗｓ：登録商標）　になってから、グラフィック表示に対応して膨大なデータ容量になったことが挙げられる。
【０００３】
現在、ハードディスクは比較的廉価になったとは言え、数万円程度すること、増設で取り付けとなるのでモバイルのような携帯用としては利便性が悪いことなどから、ユーザーはなるべく内蔵のハードディスクの記録可能領域を確保しようとする。この為、ユーザーは、プレインストールされたコンテンツで不要な物を削除しようとするが、削除手順を間違えて他のコンテンツまで削除したり、共用のファイルを削除したりする不具合が生じてしまうおれが多分にある。この修復には、一般にメーカー供給のバックアップディスクを用いることが出来るが、全てのデータ等が初期化されてしまうため、ユーザー側で構築された環境、データを他の記録媒体に先に保存してから、修復のための設定をしなおさねばならないという、ユーザにとって厄介で面倒な煩わさがある。更にまた、バックアップディスクの保管が悪いユーザーは再度、正規にコンテンツを供給されるための契約を結んで、代金を改めて支払う必要がある。
【０００４】
また、コンテンツが出荷時点でプレインストールされているということは、商品の価格にコンテンツの使用料が組み込まれていることであり、個々のユーザーにとっては使用もしないコンテンツの使用料までも支払わされているという、不公正を含むことになる。
【０００５】
【発明が解決しようとする課題】
本発明は、従来技術における上述の点に鑑みてなされたもので、その目的は、ユーザーの如何なる誤操作に対しても、コンテンツが誤って完全に抹消されるということが防止されると共に、コンテンツの利用に応じた課金がユーザーに対して行われることが可能になるようにすることにある。
【０００６】
【課題を解決するための手段】
上記目的を達成するため、請求項１の発明は、記録媒体の記録層が２層で構成され、この２層のうち、ユーザー側では書き込み、消去が不可能な片側の１層目には、コンテンツ管理者が供給する圧縮化されたコンテンツが予め出荷時には記録されている媒体を用いたコンテンツの利用方法であって、ユーザーがコンテンツ管理者とのコンテンツ利用契約に応じて、コンテンツ管理者から解凍用のソフトの供給を受け、該解凍用のソフトにより前記媒体の前記１層目に圧縮化された前記コンテンツを解凍する解凍ステップと、前記解凍ステップで解凍されたコンテンツを前記媒体の他方の２層目に記録する記録ステップと、その後のユーザのコンテンツ利用の際に、前記媒体の前記２層目に書き込まれている前記コンテンツを読み出して実行する処理ステップとを含むことを特徴とする。
【０００７】
また、請求項２の発明は、記録媒体の記録層が２層で構成され、この２層のうち、ユーザー側では書き込み、消去が不可能な片側の１層目には、コンテンツ管理者が供給する暗号化されたコンテンツが予め出荷時には記録されている媒体を用いたコンテンツの利用方法であって、ユーザーがコンテンツ管理者とのコンテンツ利用契約の際に、ユーザーが設定したパスワードに応じて、コンテンツ管理者から秘密鍵が配信される配信ステップと、前記配信ステップで配信された前記秘密鍵を前記媒体の他方の２層目に記録する記録ステップと、その後のユーザのコンテンツ利用の際に、前記媒体の前記２層目に書き込まれている前記秘密鍵とユーザーのパスワードとを用いて、前記媒体の前記１層目に記録されている前記暗号化されたコンテンツを復号化する復号化ステップと、前記復号化ステップで復号化された前記コンテンツを実行する処理ステップとを含むことを特徴とする。
【０００８】
また、請求項３の発明は、記録媒体の記録層が２層で構成され、この２層のうち、ユーザー側では書き込み、消去が不可能な片側の１層目には、コンテンツ管理者が供給する暗号化されたコンテンツが予め出荷時には記録されている媒体を用いたコンテンツの利用方法であって、ユーザーがコンテンツ管理者とコンテンツ利用契約の際に、ユーザーが設定したパスワードに応じて、コンテンツ管理者から秘密鍵が配信される配信ステップと、最初にユーザが前記コンテンツを利用する際に、前記配信ステップで配信された前記秘密鍵とユーザーのパスワードとを用いて、前記媒体の前記１層目に記録されている前記暗号化されたコンテンツを復号化する復号化ステップと、前記復号化ステップで復号化された該コンテンツを前記媒体の他方の２層目に記録する記録ステップと、次回以降のユーザのコンテンツ利用の際に、前記媒体の前記２層目に記録されている前記コンテンツを読み出して実行する処理ステップとを含むことを特徴とする。
【０００９】
また、請求項４の発明は、記録媒体の記録層が２層で構成され、この２層のうち、ユーザー側では書き込み、消去が不可能な片側の１層目には、コンテンツ管理者が供給する圧縮化されたコンテンツが予め出荷時には記録されている媒体を用いたコンテンツの利用システムであって、ユーザーがコンテンツ管理者とのコンテンツ利用契約に応じて該コンテンツ管理者から供給を受けた解凍用のソフトにより前記媒体の前記１層目の記録された前記コンテンツを解凍する解凍手段と、前記解凍されたコンテンツを前記媒体の他方の２層目に記録する記録手段と、その後のユーザのコンテンツ利用の際に、前記媒体の前記２層目に書き込まれている前記コンテンツを読み出して実行する処理手段とを有することを特徴とする。
【００１０】
また、請求項５の発明は、記録媒体の記録層が２層で構成され、この２層のうち、ユーザー側では書き込み、消去が不可能な片側の１層目には、コンテンツ管理者が供給する暗号化されたコンテンツが予め出荷時には記録されている媒体を用いたコンテンツの利用システムであって、ユーザーがコンテンツ管理者とのコンテンツ利用契約の際に該ユーザーが設定したパスワードに応じてコンテンツ管理者から配信される秘密鍵を受信する受信手段と、受信した前記秘密鍵を前記媒体の他方の２層目に記録する記録手段と、その後のユーザのコンテンツ利用の際に、前記媒体の前記２層目に書き込まれている前記秘密鍵とユーザーのパスワードとを用いて、前記媒体の前記１層目に記録されている前記暗号化されたコンテンツを復号化する復号化手段と、復号化された前記コンテンツを実行する処理手段とを有することを特徴とする。
【００１１】
また、請求項６の発明は、記録媒体の記録層が２層で構成され、この２層のうち、ユーザー側では書き込み、消去が不可能な片側の１層目には、コンテンツ管理者が供給する暗号化されたコンテンツが予め出荷時には記録されている媒体を用いたコンテンツの利用システムであって、ユーザーがコンテンツ管理者とのコンテンツ利用契約の際に該ユーザーが設定したパスワードに応じてコンテンツ管理者から配信される秘密鍵を受信する受信手段と、最初にユーザが前記コンテンツを利用する際に、前記受信した前記秘密鍵とユーザーのパスワードとを用いて、前記媒体の前記１層目に記録されている前記暗号化されたコンテンツを復号化する復号化手段と、復号化された前記コンテンツを前記媒体の他方の２層目に記録する記録手段と、次回以降のユーザのコンテンツ利用の際に、前記媒体の前記２層目に記録されている前記コンテンツを読み出して実行する処理手段とを有することを特徴とする。
【００１２】
【発明の実施の形態】
以下、図面を参照して本発明の実施形態を詳細に説明する。
（基本構成）
本発明では、ハードディスクの記録媒体として、図１に示すように、符号１１で示す記録層が、符号１３、１５で示す２層から構成されている２層記録媒体を採用している。この２層記録媒体の各層の磁気特性が、図２に破線の曲線で示すような、低い保磁力Ｈｃ１を持つ上の記録層（以下、上層部と称する）１３と、図２に実線の曲線で示すような、高い保磁力Ｈｃ２を持つ下の記録層（以下、下層部と称する）１５の２つの記録層を持つ。
【００１３】
なお、図１の構成は理解しやすい様に概略を模式的に示すもので、実際には、例えば、媒体基板、第１の下地層、下の記録層（下部層１５）、分離層、第２の下地層、上の記録層（上部層１３）、カーボン保護層を順に積層した構造体となっている。
【００１４】
２つの記録層１３、１５の保磁力には、Ｈｃ１≪Ｈｃ２の関係が成り立っているので、下層部１５は高保磁力を有し、そのためハードディスクに組込みの上層部１３を読み書きする磁気ヘッドでは下層部１５にデータ等を書き込むことが出来ず、下層部１５への書き込みはハードディスクの製造者のみが磁気転写技術を用いて行われる。
【００１５】
この磁気転写技術の基本的な内容に関しては、特開２００１−３４９３９号公報に開示されているので参照されたい。また、上記のような２層記録媒体への転写技術の詳細については、本出願人が提案した特願２００１−２７９９０７号（平成１３年９月１４日出願）に詳述されているので参照されたい。
【００１６】
以下では、本発明に直接係わる２層記録媒体の下層部への磁気転写方法に関してのみ記載する。図３にその磁気転写技術の概要を示す。
【００１７】
まず、図３の（ａ）に示す初期化工程において、磁気記録媒体（ハードディスク）に対して水平方向の磁界であって、上記のＨｃ１およびＨｃ２よりも大きい外部磁界を印加することにより、記録層１１は上層部１３，下層部１５ともに初期磁化される（黒い矢印は磁界された方向を示す。以下同様）。
【００１８】
次に、図３の（ｂ）に示す下層部１５への転写工程において、線形状または島形状のパターンに加工された軟磁性層（軟磁性パターン）３３が表面部分に埋め込まれた非磁性基板からなる磁気転写マスターディスク３１を、上記の磁気記録媒体に密着または近接させた状態で、外部磁界Ｈｅｘを磁気記録媒体に対して水平方向に印加する。この時、外部磁界Ｈｅｘは初期磁界と反対方向の磁界で、大きさはＨｃ１≪Ｈｅｘ、Ｈｃ２≒Ｈｅｘを満たすものとする。
【００１９】
この結果、外部磁界Ｈｅｘが上層部１３の保磁力Ｈｃ１よりも十分大きいので、マスタディスク３１の軟磁性パターン３３の存在のいかんに関わらず、上層部１３は外部磁界Ｈｅｘの磁界の方向（即ち、初期磁化と反対方向）に一様に磁化される（矢印で示す）。一方、下層部１５では軟磁性パターン３３の下の漏れ磁界が磁化を反転させる程大きくないため、軟磁性パターン３３の下では初期磁化はそのまま保たれるが、軟磁性パターン３３が無い部分では外部磁界Ｈｅｘにより磁化は反転する（黒い矢印で示す）。このように、下層部１５には、マスタディスク３１の軟磁性パターン３３の転写が行われる。
【００２０】
このようにして、ユーザー側では書き込み、消去が不可能な片側の１層目に相当する磁気記録媒体の下層部１５には、上記の磁気転写技術を用いて、例えば、後述のように、コンテンツ管理者が供給する圧縮化されたコンテンツが予め出荷時には記録される。一方、他方の２層目に相当する磁気記録媒体の上層部１３には、ユーザ側で通常の磁気ヘッド（図４の４１参照）を用いてデータ等が記録される。
【００２１】
磁気記録媒体に記録された信号の再生は１個の磁気ヘッドで行う為、下層部１５と上層部１３の信号が重畳されて検出されるが、下層部１５と上層部１３の再生信号の分離を行う方法として、例えば再生信号の振幅の相違を用いる方法があり、図４には、この再生信号の振幅相違による分離方法を示す。
【００２２】
図４の（ａ）は磁性体の磁気特性を示すもので、磁性体がいったん大きな磁場を経験すると、磁場が零でも一定の残留磁化が残る。磁場体の内部には残留磁化が残ることにより、その磁化を打ち消そうとする方向に磁場が発生し、これを減磁場という。磁気ヘッドの再生信号は、次式で表される。
【００２３】
【数１】
2004039036.tif 000003
【００２４】
但し、各変数は下記の通りである。
Ｌ：ヘッド，媒体間の結合インピーダンス
Ｖ：媒体の速度
Ｗ：記録されているトラックの幅
ｄ：ヘッド・媒体間の隙間
Ｍｒ：媒体の磁化成分
δ：媒体の磁性層の厚み
ａｘ：減磁場の遷移パラメータ
２ｇ：磁気ヘッドのギャップ長さ
【００２５】
図４の（ｂ）は磁性層と磁気ヘッドの位置関係を示し、磁性層の上層部１３の厚みは１０ｎｍで、磁気ヘッド４１と磁性層上部とのギャップは１０ｎｍとし、磁性層の下層部１５の厚みは２０ｎｍで、磁気ヘッド４１と磁性層下層部とのギャップは２０ｎｍとし、それ以外のことは同一とする。この条件で、上記の式に当てはめると、ｘ＝０での位置での出力電圧において、下層部１５の残留磁化による電圧は、上層部１３の残留磁化による電圧の約２倍となる。この様子を図５の（ａ）および（ｂ）に示す。
【００２６】
図５の（ｃ）は、上層部１３と下層部１５とのパターンが重なる位置では、上層部１３の残留磁化による再生信号の電圧と下層部１５の残留磁化による電圧とが重畳されて出力されることを表している。予め、各層の残留磁化による出力電圧が判っているので、磁気ヘッド４１で読み取った再生信号を高周波でサンプリングし、波形解析を行うことにより、再生信号が何れの層によるのかを把握することが出来る。磁気記録媒体が２層記録媒体の場合には、上述のようにして、信号の記録，再生が行われる。
【００２７】
（第１の実施形態）
前述したように、２層記録媒体の下層部１５では、磁気ヘッド４１の接触などによる物理的な破壊を除いて、ユーザーによる書き込み、削除が出来ない。このことを利用して、ハードディスクを出荷する前にユーザーの大多数が使用する主なコンテンツを、そのままでは利用出来ないように、一部を除いて暗号化を行い、ハードデイスクの下層部１５に記録する。
【００２８】
次に、図６に示すように、ユーザーがこの下層部１５に記録されたコンテンツを利用するには、コンテンツの暗号化されていないコンテンツ情報（コンテンツ名称，コンテンツ管理者，契約先アドレス，契約条件，暗号化など）を読みとり、読み取った情報を用いて、まず情報の秘守に必要な公開鍵と秘密鍵とを作成し、その次にユーザーが希望するパスワードと公開鍵とを添えてコンテンツ管理者に対して、契約を申し込む（ステップ６０１）。
【００２９】
コンテンツ管理者は、本来、下層部１５の暗号化されたコンテンツを復号化する為のコンテンツ鍵は１種類であるが、ユーザーから提示されたパスワードと組み合わせて、パスワードが１種の鍵となるように、新たに契約したユーザー向けに暗号鍵を生成し、この暗号鍵をさらに上記公開鍵で暗号化してユーザーに配布する（ステップ６０２）。
【００３０】
ユーザーは、上記秘密鍵で暗号鍵を復号化して、復号化した暗号鍵を書き込みが出来る上層部１３に記録し保存する（ステップ６０３）。
【００３１】
その後、出荷前に２層記録媒体の下層部１５にあらかじめ記録されている暗号化されたコンテンツの中で、そのユーザにとって真に利用価値のある部分を利用する際において、ユーザがパスワードを入力すると、上層部１３に記録・保存された上記の暗号鍵がそのパスワードで復号化されて、コンテンツ鍵が生成され（ステップ６０４）、このコンテンツ鍵により下部層１５のコンテンツの中の暗号化された部分が復号化され（ステップ６０５）、ユーザーはコンテンツを利用することが出来るようになる（ステップ６０６）。
【００３２】
（第２の実施形態）
上記のように、コンテンツを利用する都度、ユーザーはパスワードを入力し、暗号化されたコンテンツを復号化する工程を用いても良いが、ユーザーに負担が掛かるので、図７に示すように、暗号化されたコンテンツが、コンテンツ鍵で復号化された時点で、上層部１５に復号化されたコンテンツが記録されるようにして、この時点から上層部１５の復号化済みコンテンツを利用出来るようにし（ステップ７０５）、以降パスワードを入力しなくてもユーザーがコンテンツを利用することが出来るようにしても良い（ステップ７０６）。（なお、その他の工程は図６の第１の実施形態と同様である。）
【００３３】
この場合、万が一に上層部１３に記録の復号化されたコンテンツが削除または改竄されたとしても、上記のように下層部１５の暗号化されたコンテンツをコンテンツ鍵で復号化すれば良いことになるので、問題は生じない。
【００３４】
（第３の実施形態）
また、コンテンツ管理者がコンテンツの利用制限に厳しくない場合には、下層部１５に記録するコンテンツを圧縮化した形式にし、ユーザーがコンテンツ管理者と利用契約を結ぶと、ユーザはコンテンツ管理者から解凍するソフトの供給を受け、下層部１５に記録されている圧縮化されたコンテンツをその解凍するソフトにより解凍し、その解凍されたコンテンツを上層部１３に記録し、上層部１３に書き込まれたコンテンツを以後、自由に利用出来るようにしても良い。
【００３５】
（他の実施形態）
以上、本発明の実施形態を詳述したが、本発明は、前述した実施形態の機能を実現するソフトウエアのプログラム（本実施形態では、図６と図７に示すフローチャートに対応したプログラム）を、システム或いは装置に直接或いは遠隔から供給し、そのシステム或いは装置のコンピュータがその供給されたプログラムを読み出して実行することによっても達成される場合を含む。その場合、プログラムの機能を有していれば、形態は、プログラムである必要はない。プログラムを供給するための記録媒体としては、例えばハードディスク、光ディスク、光磁気ディスク、ＭＯ、ＣＤ−ＲＯＭ、ＣＤ−Ｒなどがある。
【００３６】
【発明の効果】
以上説明したように、本発明によれば、記録層が２層で構成された記録媒体において、ユーザー側では書き込みや消去が不可能な片側の高Ｈｃの層に、コンテンツ管理者が供給する暗号化されたコンテンツを、所定の磁気転写方式で予め書き込みを行い、ユーザーがコンテンツ管理者とコンテンツ利用契約を結んだ後に、ユーザはコンテンツ管理者から復号用の鍵の供給を受けて、暗号化されたコンテンツを復号化し、復号化されたコンテンツをユーザが書き込み自在の他方の層に記録し、次回以降のコンテンツ利用の際は、その他方の層に新たに記録されたコンテンツを実行することで、ユーザーの如何なる誤操作に対しても、コンテンツが誤って完全に抹消されることが防止されると共に、コンテンツの利用に応じた課金をユーザーに対して行うことが可能となる効果を奏する。
【図面の簡単な説明】
【図１】本発明で用いる磁気記録媒体の２層構成を示す模式的断面図である。
【図２】本発明で用いる２層構成の磁気記録媒体の各層の磁気特性を示す線グラフ図である。
【図３】本発明で用いる２層構成の磁気記録媒体の下層部に対する磁気転写のための（ａ）は初期化工程、（ｂ）は転写工程を示す模式的断面図である。
【図４】（ａ）は本発明で用いる２層構成の磁気記録媒体における残留磁化の様子を示す線グラフ図、（ｂ）はその２層構成の磁気記録媒体と磁気ヘッドとの位置関係を示す模式的断面図である。
【図５】本発明で用いる２層構成の磁気記録媒体から磁気ヘッドにより読み出された再生信号の波形を示し、（ａ）は上層部の再生信号の波形を、（ｂ）は下層部の再生信号の波形を、（ｃ）は両２層の再生信号の波形をそれぞれ示す波形図である。
【図６】本発明の第１の実施形態において２層構成の磁気記録媒体の下層部に予め記録され暗号化されたコンテンツを復号化してユーザが利用するまでに至る手順を示す模式的流れ図である。
【図７】本発明の第２の実施形態において２層構成の磁気記録媒体の下層部に予め記録され暗号化されたコンテンツを復号化してユーザが利用するまでに至る手順を示す模式的流れ図である。
【符号の説明】
１１　磁気記録媒体の記録層
１３　上層部（上の記録層）：保磁力Ｈｃ１
１５　下層部（下の記録層）：保磁力Ｈｃ２
３１　マスターディスク
３３　軟磁性パターン
４１　磁気ヘッド
【図１】
2004039036.tif 000004
【図２】
2004039036.tif 000005
【図３】
2004039036.tif 000006
【図４】
2004039036.tif 000007
【図５】
2004039036.tif 000008
【図６】
2004039036.tif 000009
【図７】
2004039036.tif 000010